(57)【要約】【課題】着物や浴衣を着付けする際に、半幅帯などの帯幅の小さい帯では振袖のような表現力豊かな帯結びを、一人で簡単に行うことができない。【解決手段】伸縮素材からなり、伸ばすことで帯を通すことが可能となる大きさの複数の輪状部材と、伸縮素材からなり、前記複数の輪状部材を帯結びを作る位置で帯に沿った向きにまとめて伸ばすことができるように引っ張るための体に巻きつけて利用するベルト状部材と、で構成される帯結び用道具を提案する。  【選択図】図１
2013036145.tif 000002
【特許請求の範囲】
【請求項１】
伸縮素材からなり、伸ばすことで帯を通すことが可能となる大きさの複数の輪状部材と、
伸縮素材からなり、前記複数の輪状部材を帯結びを作る位置で帯に沿った向きにまとめて伸ばすことができるように引っ張るための体に巻きつけて利用するベルト状部材と、
で構成される帯結び用道具。
【請求項２】
前記ベルト状部材は、前記輪状部材を引っ張る状態でも輪状部材を引っ張る位置において輪状部材を固定しない構造である請求項１に記載の帯結び用道具。
【請求項３】
前記複数の輪状部材は二つの輪状部材である請求項１又は２に記載の帯結び用道具。
【請求項４】
前記輪状部材はゴム紐である請求項１から３のいずれか一に記載の帯結び用道具。
【請求項５】
前記ベルト状部材は包帯である請求項１から４のいずれか一に記載の帯結び用道具。
【発明の詳細な説明】
【技術分野】
【０００１】
本発明は、着物や浴衣の帯結びを行う際に用いる帯結び用道具に関する。
【背景技術】
【０００２】
着物や浴衣の着付けに際して表現力豊かな帯を結ぶため、腰紐、帯揚げ、帯締めなどの帯の形を整えるための装具を利用する。これらの装具を使いこなすためには一定の技術と多くの経験を必要とするのが一般的である。
【０００３】
そのため、比較的着物の経験が少ない若い女性では、経験豊かな第三者に帯結びを行ってもらうことが一般的であり、外出先で帯がくずれるようなことが起きたとき、一人で帯の形を復元するのは困難であった。
【０００４】
帯結びの比較的初心者であっても帯の形を簡単に整えられることを狙って三重紐が利用されるようになってきた。三重紐は、中央が三本に分かれたゴム、両端が非伸縮性の紐で構成されている。三本に分かれたゴムの部分に帯の部分を重ね合わせて作った羽根を通して押さえるようにし、作った羽根の形がゴムの張力で保たれた状態で、新たな羽根を作り、同じくゴムで押さえるようにする。帯結びを最終的に完成させる段階では羽根を押さえるゴムの部分は帯で隠れるように工夫する。
【０００５】
従来の帯結び用道具として三重紐を含んだ発明が開示されている（特許文献１）。
【先行技術文献】
【特許文献】
【０００６】
【特許文献１】特許第３６６５８９４号
【発明の概要】
【発明が解決しようとする課題】
【０００７】
従来の方法では、以下のような問題点がある。
【０００８】
従来の三重紐のゴムの部分は決められた大きさになっており、いろいろな幅の帯に自在に対応できるようには構成されていない。例えば振袖用の三重紐は振袖以外の帯でも帯結びができるように対応しているとはいえない。したがって、一旦振袖用に三重紐を用いた帯結びを習った場合でも、帯の種類が変わってしまうと、同じ三重紐を用いてもうまく帯結びを行うことができない。
【０００９】
また、従来の三重紐は帯を通す部分が二か所のみであり帯結びのバリエーションは限られたものになる。
【００１０】
さらに、ゴムの部分を固定する紐の部分は非伸縮性の材料でできていたので、体の前側で帯結びをし、背中側に結び部分を回そうとすると、大きな力を入れて回さなければならず、回している途中でせっかく結んだ帯が型崩れしてしまうという問題もあった。
【課題を解決するための手段】
【００１１】
上記課題を解決するため、本願出願人は、以下の帯結び用道具を提案する。
【００１２】
すなわち、第一の発明として、伸縮素材からなり、伸ばすことで帯を通すことが可能となる大きさの複数の輪状部材と、伸縮素材からなり、前記複数の輪状部材を帯結びを作る位置で帯に沿った向きにまとめて伸ばすことができるように引っ張るための体に巻きつけて利用するベルト状部材と、で構成される帯結び用道具、を提案する。
【００１３】
第二の発明として、前記ベルト状部材は、前記輪状部材を引っ張る状態でも輪状部材を引っ張る位置において輪状部材を固定しない構造である第一の発明に記載の帯結び用道具、を提案する。
【００１４】
第三の発明として、前記複数の輪状部材は二つの輪状部材である第一の発明又は第二の発明に記載の帯結び用道具、を提案する。
【００１５】
第四の発明として、前記輪状部材はゴム紐である第一の発明から第三の発明のいずれか一に記載の帯結び用道具、を提案する。
【００１６】
第五の発明として、前記ベルト状部材は包帯である第一の発明から第四の発明のいずれか一に記載の帯結び用道具、を提案する。
【発明の効果】
【００１７】
本発明によって、簡素な材料で、一人でも簡単に表現力豊かな帯結びを行うことが可能となる。
【図面の簡単な説明】
【００１８】
【図１】実施形態１の帯結び用道具の一例を正面から示す図である。
【図２】実施形態１の帯結び用道具の構成の仕方を示す図である。
【図３】実施形態１の帯結び用道具を帯に沿った方向に伸ばした状態を示す図である。
【図４】実施形態１の帯結び用道具を体に巻きつけた状態の体前面を示す図である。
【図５】実施形態１の帯結び用道具を体に巻きつけた状態の体背面を示す図である。
【図６】実施形態１の帯結び用道具の上側を引っ張り、羽根を通す状態を示す図である。
【図７】実施形態１の帯結び用道具の上側を引っ張り、羽根を通し挟み込んだ状態を示す図である。
【図８Ａ】実施形態１の帯結び用道具の使い方の一例の流れを示す図である。
【図８Ｂ】実施形態１の帯結び用道具の使い方の一例の流れを示す図である。
【発明を実施するための形態】
【００１９】
以下、本件発明の実施形態について図面を用いて説明する。なお、本件発明は、これら実施形態に何ら限定されるべきものではなく、その要旨を逸脱しない範囲において、種種なる態様で実施し得る。なお、実施形態１は、主に請求項１などに関する。実施形態２は、主に請求項２などに関する。実施形態３は、主に請求項３などに関する。実施形態４は、主に請求項４などに関する。実施形態５は、主に請求項５などに関する。
<<実施形態１>>
<実施形態１：概要>
【００２０】
本実施形態の帯結び用道具は、複数の輪状部材とベルト状部材からなり、全体が伸縮素材からなるため、帯の大きさにかかわらず、一人で簡単に表現力豊かな帯結びを行うことができる。
<実施形態１：構成>
【００２１】
図１は、本実施形態の帯結び用道具（０１００）を正面から見た図である。図２は、本実施形態の帯結び用道具の構成の仕方を示した図である。図３は、本実施形態の帯結び用道具を帯に沿った方向に伸ばした状態の図である。
【００２２】
図１において、輪状部材（０１０１、０１０２）とベルト状部材（０１０３、０１０４）は複数個所で結合させられている。これは図２に示すように、二つの輪状部材をベルト状部材で結合させ、ベルト状部材を引っ張ることで輪状部材がまとめて伸ばされるように結合させられている。また、図３はベルト状部材を引っ張ったときに、輪状部材がまとめて伸ばされた状態が示されている。輪状部材とベルト状部材の結合の仕方については、輪状部材をベルト状部材で結びつける方法や、輪状部材にベルト状部材を縫い付ける方法や、輪状部材にベルト状部材を接着材で結合させる方法や、輪状部材とベルト状部材を織り込むことによって一体化する方法などがある。
【００２３】
輪状部材の数は二つ以上である。例えば輪状部材が二つの場合、帯を通し挟み込める部分が三箇所できる。一般に輪状部材がｎ本の場合、帯を通し挟み込める部分は（２ｎ−１）箇所できる。
【００２４】
「輪状部材」（０１０１、０１０２）は、伸縮素材からなり、伸ばすことで帯を通すことが可能となる大きさのものである。伸縮素材からなるので、帯を通した後は帯を挟み込んで押さえるために好適な部材となる。
【００２５】
輪状部材に用いる伸縮素材としては、ゴム紐やゴムチューブなどが挙げられる。また、帯を輪状部材に通す時に擦れ合って帯が傷つくことがないように表面の処理がなされていることが好ましい。ゴム紐は伸縮性に優れ、表面の処理がされている点で特に好ましい。
【００２６】
帯幅は、半幅帯、子袋帯、細帯の場合には１５ｃｍ程度であり、袋帯、名古屋帯、単帯の場合には３０ｃｍ程度となる。実際に帯を輪状部材に通すときは、帯を折りたたんで通すので、伸ばされた輪状部材の長さは通す帯の帯幅より短くてもよい。また、帯幅が３０ｃｍ以上であっても、帯を通すことができる。また、輪状部材の大きさは、５〜１０ｃｍ程度であり、伸ばした状態では１０〜３０ｃｍ程度であるが、本発明はこれに限定されるものではない。
【００２７】
なお、輪状部材の色は、帯と合った色または目立たない色であることが好ましい。また、輪状部材は髪留めに使用するようなゴム紐でも可能である。
【００２８】
「ベルト状部材」（０１０３、０１０４）は、伸縮素材からなり、前記複数の輪状部材を、帯結びを作る位置で帯に沿った向きにまとめて伸ばすことができるように引っ張るための体に巻きつけて利用するものである。
【００２９】
図４は本実施形態の帯結び用道具を体に巻きつけた状態での体の前面を示す図であり、図５は本実施形態の帯結び用道具を体に巻きつけた状態での体の背面を示す図である。
【００３０】
「帯結びを作る位置」とは、一人で帯結びを行う場合は、体の前面であり、図５に示すように、帯結びを行う前に準備した帯の結び目の上あたりである。また、第三者に帯結びを行ってもらう場合は、「帯結びを作る位置」は体の背面でもよい。
【００３１】
「帯に沿った向きにまとめて伸ばす」とは、図４に示すように、ベルト状部材で引っ張られた輪状部材の長手方向が帯を体に巻き付ける向きに沿うように、輪状部材を伸ばすことである。
【００３２】
ベルト状部材は、図５に示すように、体の背面で蝶結びなどをして体に巻きつける。ベルト状部材はこのような形状の他にも、種種の態様が考えられる。例えば、胴回りの調節は、ベルト状部材に取り付けた面ファスナーを用いてもよい。例えば、それぞれの輪状部材に対してそれぞれベルト状部材を結合して胴回りを二重のベルト状部材で締め付けたりすることも考えられる。しかしながら、本発明は上記の種種の態様に限定されるものではない。ベルト状部材の長さは５０〜１５０ｃｍ程度であるが、特に限定されるものではない。
【００３３】
ベルト状部材は、着装後に、帯の中にしまい込めるように、かさばらないものがよく、またベルト状部材の色も着物や帯の色に合った色、または目立たない色とすることが好ましい。
【００３４】
ベルト状部材に用いる伸縮素材としては、ゴムバンド、網目状の化学繊維、伸縮性包帯などが挙げられる。なお、輪状部材の伸縮素材とベルト状部材の伸縮素材は同一である必要はなく、種々なる組み合わせが可能である。特に、伸縮性包帯は身体に対する締め付けが適度であるため、好ましい。
【００３５】
ベルト状部材が伸縮素材からなるので、体に巻きつける際に、装着者の前腹部、側腹部、腰部を圧迫することなく、体への負担を軽減することができる。さらに、帯結びを体の前面で作り終えた後、帯結びを体の背面に回す時に、従来は伸縮性のない紐で巻きつけていたことと比較して、体への負担を軽くでき、楽に回すことが可能である。
<実施形態１：効果>
【００３６】
本実施形態の帯結び用道具により、帯の大きさにかかわらず、一人で簡単に表現力豊かな帯結びを行うことができる。
<帯結び用道具の使い方>
【００３７】
本発明の帯結び用道具の使い方について図６、７，８を用いて説明する。ここでは、振袖の帯結びで作られるような表現力豊かな文庫結びを例として説明する。使用する帯は半幅帯である。
【００３８】
図６に示すように、たれ先の根元（帯の結び目）から、一つ目の羽根０６０７を作る長さだけまとめており、帯結び用道具の輪状部材を伸ばして帯を通す隙間を作る。 このとき伸ばす輪状部材は必ずしも上側二つでなくてもよく、本実施形態は輪状部材の選び方に特に限定されない。
【００３９】
図７に示すように、羽根の部分０７０７を例えば二つ山おりなどにして、輪状部材の上側二つを伸ばしてできた隙間に下から通し、体前面右手に流して挟み込む。このように、輪状部材を伸ばしてできた隙間に、帯を好きな形にまとめて挟み込んでいくことができる。
【００４０】
以下、図８Ａ、図８Ｂの略図を参照しながら説明する。図８Ａは、一つ目の羽根を帯結び用道具に通し挟み込んだ様子から四つ目の羽根を帯結び用道具に通す前の様子までを示し、図８Ｂは、四つ目の羽根を帯結び用道具に通し挟み込んだ様子から帯結びの完成までの様子を示した図である。
【００４１】
図８Ａ（ａ）に示すように、一つ目の羽根０８０７が帯結び用道具の中央に通され挟み込まれている。
【００４２】
図８Ａ（ｂ）では、たれ先の根元から（帯の結び目から）二つ目の羽根０８０８を作る長さだけまとめており、例えば二つ山おりなどにして、輪状部材の一番上を伸ばしてできた隙間に下から通すところを示している。
【００４３】
図８Ａ（ｃ）では、二つ目の羽根０８０８が帯結び用道具の上方に通され挟み込まれている。
【００４４】
図８Ａ（ｄ）では、一つ目の羽根０８０７と二つ目の羽根０８０８が帯結び用道具の片側に寄せられ、帯結びの背後に隠れていた下側の輪状部材を伸ばしてできた隙間に、三つ目の羽根０８０９を作る長さだけまとめており、二つ山おりなどにして、三つ目の羽根が下から通されるところを示している。
【００４５】
図８Ａ（ｅ）では、一つ目の羽根０８０７と二つ目の羽根０８０８を流した向きとは逆の向きに、三つ目の羽根０８０９が帯結び用道具の中央に通され挟み込まれている。
【００４６】
図８Ａ（ｆ）は、四つ目の羽根０８１０を作る長さだけまとめており、二つ山おりなどにして、輪状部材の下側一つを伸ばしてできた隙間に、四つ目の羽根０８１０が下から通されるところを示している。
【００４７】
図８Ｂ（ｇ）は、四つ目の羽根０８１０が、三つ目の羽根０８０９と同じ向きに流され、帯結び用道具の下方に通され挟み込まれている。
【００４８】
図８Ｂ（ｈ）は、三つ目の羽根０８０９と四つ目の羽根０８１０の間に隠れている輪状部材を伸ばしてできた隙間に、たれ先０８０６を下から通すところを示している。
【００４９】
図８Ｂ（ｉ）は、たれ先０８０６を適当な長さで下にたらした状態を示している。途中で余ったり、残ったりした帯の部分は、適当にまとめて体に巻いた帯の中にしまい込む。
【００５０】
図８Ｂ（ｊ）は、二つ目の羽根と三つ目の羽根の間に隠れている輪状部材を伸ばしてできた隙間に、て先０８０５を下から上へ通すところを示している。
【００５１】
図８Ｂ（ｋ）は、て先０８０５を輪状部材に通した後、三つ目の羽根と四つ目の羽根と同じ向きに流して、形を整えたところを示している。
【００５２】
以上の使い方で、図８Ｂ（ｋ）のように、振袖で作られるような表現力豊かな帯結びを行うことができる。一人で半幅帯などの帯結びを行う場合は、最後に帯結びを背面に回して完成する。このとき体の前面で、もう一度ベルト状部材の胴回りの長さを調節し、締め付け具合を確認して、ベルト状部材が見えないように帯の中にしまい込む。
【００５３】
このように、従来は振袖のような表現力豊かな帯結びができなかった半幅帯でも、本発明の帯結び用道具を用いて、一人で簡単に表現力豊かな帯結びを行うことが可能となる。なお、第三者に振袖の帯結びを行ってもらう場合でも、本実施形態の帯結び用道具は使用可能であり、従来の三重紐よりバリエーションの多い帯結びを行うことが可能となる。
<<実施形態２>>
<実施形態２：概要>
【００５４】
本実施形態の帯結び用道具は、実施形態１を基本としつつ、前記ベルト状部材は、前記輪状部材を引っ張る状態でも輪状部材を引っ張る位置において輪状部材を固定しない構造である帯結び用道具である。
【００５５】
<実施形態２：構成>
本実施形態の帯結び用道具は、輪状部材とベルト状部材の結合方法が、輪状部材を固定しない構造である点に特徴がある。
【００５６】
輪状部材を固定しないように、輪状部材をベルト状部材で結びつける方法は、例えば、ベルト状部材の先端で輪状部材を通して動かせることが可能な空間を持つ輪を作って結んでおく方法や、ベルト状部材の先端にリング状の部材を取り付けてリング状の部材に輪状部材を通す方法などが挙げられる。
【００５７】
このような構造の場合、ベルト状部材で結合された部分で分けられた輪状部材の一方を、帯を通すために伸ばしたときに、他の一方が帯をより締め付けることができる。つまり、帯を輪状部材の隙間に通すたびに、すでに挟んでいた帯や羽根の締め付け具合が強くなり、より安定感のある帯結びを行うことができる。したがって、帯結びを行っている最中でも、帯結びの形が崩れず、安心して、帯結びを進めることができる。
<実施形態２：効果>
【００５８】
本実施形態の帯結び用道具により、帯の大きさにかかわらず、さらに安定した帯結びを行うことができる。
<<実施形態３>>
<実施形態３：概要>
【００５９】
本実施形態の帯結び用道具は、実施形態１又は２を基本としつつ、前記複数の輪状部材は二つの輪状部材であることを特徴とする。従来の三重紐は帯を通し挟み込める部分は二つであることと比較しても、本発明の帯結び用道具は輪状部材の数が二つで従来の三重紐よりも帯結びのバリエーションを増やすことができる。
<実施形態３：構成>
【００６０】
本実施形態の帯結び用道具は、複数の輪状部材が二つの輪状部材のみからなる。輪状部材が三つ以上の場合と比べると、安定性に欠けるように思われるが、半幅帯や単帯などに対しては充分な安定性を保ち、帯結びを行うことが可能である。
【００６１】
また、二つの輪状部材であっても、実質的には帯を通す間の数は三つあり、帯結びのバリエーションや表現力の豊かさは、従来の三重紐が帯を通す間の数が二つであることから、充分に優れている。
【００６２】
半幅帯や単帯のように、帯の大きさが小さいものの場合には、輪状部材は二つでも充分であるため、製造のコストを抑えられる。
<実施形態３：効果>
本実施形態の帯結び用道具により、豊かな帯結びを行うのに充分でありながら、簡素であり、かつ製造のコストを抑えることができる。
<<実施形態４>>
<実施形態４：概要>
【００６３】
本実施形態の帯結び用道具は、実施形態１から３のいずれか一を基本としつつ、前記輪状部材はゴム紐であることを特徴とする。
<実施形態４：構成>
【００６４】
本実施形態の帯結び用道具は、前記輪状部材がゴム紐からなる。ゴム紐は一般的に髪留めに使用されるものでもよい。このようなゴム紐は髪にからまないように表面が処理されており、帯結び用に使用しても、帯を通すときに帯を傷めることがない。また、従来の三重紐と比較すると、髪留めに使用されるようなゴム紐は細く、帯結びの道具として使用しても、目立つことがない。
<実施形態４：効果>
【００６５】
本実施形態の帯結び用道具により、帯を傷めることが少ない。また、半幅帯などの幅の狭い帯結びのときでも、帯結びを行った後に見えにくいため、見映えがよくなる。
<<実施形態５>>
<実施形態５：概要>
【００６６】
本実施形態の帯結び用道具は、実施形態１から４のいずれか一を基本としつつ、前記ベルト状部材は包帯であることを特徴とする。
<実施形態５：構成>
【００６７】
本実施形態の帯結び用道具は、前記ベルト状部材が包帯からなる。包帯は、一般的に人肌に優しく、伸縮性も充分であるため、着物や帯を傷めることがない。また、素材も柔らかく薄いため、帯結びを行った後、帯にしまうことが容易で、目立つことがない。
<実施形態５：効果>
【００６８】
本実施形態の帯結び用道具により、着物や帯を傷めることがなく、帯結びを行った後も目立つことがないので、より綺麗な着付けが可能である。
【符号の説明】
【００６９】
帯結び用道具  ０１００、０２００、０３００、０４００、０６００、０７００、０８００
輪状部材  ０１０１、０１０２、０２０１、０２０２、０３０１、０３０２
ベルト状部材  ０１０３、０１０４、０２０３、０２０４、０３０３、０３０４，０５０３，０５０４
て先  ０４０５、０６０５、０７０５、０８０５
たれ先  ０４０６、０６０６、０７０６、０８０６
一つ目の羽根  ０６０７、０７０７、０８０７
二つ目の羽根  ０８０８
三つ目の羽根  ０８０９
四つ目の羽根  ０８１０
【図１】
2013036145.tif 000003
【図２】
2013036145.tif 000004
【図３】
2013036145.tif 000005
【図４】
2013036145.tif 000006
【図５】
2013036145.tif 000007
【図６】
2013036145.tif 000008
【図７】
2013036145.tif 000009
【図８Ａ】
2013036145.tif 000010
【図８Ｂ】
2013036145.tif 000011